(57)【要約】【課題】一方の電極片差込口に導電性部材を差し込んでも感電するおそれのないコンセントを提供する。【解決手段】ハウジング１０内に収容された内部接続機構２０は、ハウジング１０の底板１２に固定される、電源線が接続される一対の端子金具２１と、各端子金具２１に連設された、弾性変形可能な端子金具側導通片２２と、各端子金具側導通片２２の先端部外面に接着固定される絶縁部材２３と、前面壁１３に形成された一対の電極片差込口１３ａに差し込まれたプラグ３０の電極片３１と電気的に接続される、一対の電極片差込口１３ａに対応して配設される一対の電極金具２４と、各電極金具２４に連設された電極金具側導通片２５とを備えており、一方の電極片３１の差込動作に伴い、他方の電極片３１と一方の端子金具２１とが電気的に接続され、他方の電極片３１の差込動作に伴い、一方の電極片３１と他方の端子金具２１とが電気的に接続されるようになっている。【選択図】        図９
2010135091.tif 000002
【特許請求の範囲】
【請求項１】
プラグの電極片が差し込まれる一対の電極片差込口が形成された外装部材と、
電源線が接続される一対の端子金具と、
前記外装部材に形成された前記電極片差込口に差し込まれたプラグの電極片と電気的に接続される、一対の前記電極片差込口に対応して配設された一対の電極金具とを備えたコンセントにおいて、
一方の前記電極片差込口に差し込まれたプラグの電極片が所定位置まで到達すると、他方の前記電極金具と一方の前記端子金具とが電気的に接続され、一方の前記電極片差込口に差し込まれたプラグを引き抜いてその電極片を所定位置から後退させると、他方の前記電極金具と一方の前記端子金具とが電気的に遮断されると共に、
他方の前記電極片差込口に差し込まれたプラグの電極片が所定位置まで到達すると、一方の前記電極金具と他方の前記端子金具とが電気的に接続され、他方の前記電極片差込口に差し込まれたプラグを引き抜いてその電極片を所定位置から後退させると、一方の前記電極金具と他方の前記端子金具とが電気的に遮断されるようになっていることを特徴とするコンセント。
【請求項２】
一方の前記電極金具には、他方の前記電極金具側に延びる電極金具側導通片が連設されていると共に、他方の前記電極金具には、一方の前記電極金具側に延びる電極金具側導通片が連設されており、
一方の前記端子金具には、一方の前記電極片差込口に差し込まれ、所定位置まで到達したプラグの電極片に押されることによって弾性変形して、他方の前記電極金具に連設された前記電極金具側導通片に接触することで、その電極金具側導通片に電気的に接続される端子金具側導通片が連設されていると共に、
他方の前記端子金具には、他方の前記電極片差込口に差し込まれ、所定位置まで到達したプラグの電極片に押されることによって弾性変形して、一方の前記電極金具に連設された前記電極金具側導通片に接触することで、その電極金具側導通片に電気的に接続される端子金具側導通片が連設されており、
前記端子金具側導通片は、プラグの電極片と直接接触しないように、プラグの電極片に押される部分が絶縁されている請求項１に記載のコンセント。
【発明の詳細な説明】
【技術分野】
【０００１】
この発明は、子供のいたずらによる感電を防止することができるコンセントに関する。
【背景技術】
【０００２】
部屋の壁面下部に取り付けられるコンセントやテーブルタップ等に採用されるコンセントは、プラグの電極片が挿入される左右一対の電極片差込口が形成された外装部材と、一対の電極片差込口に対応して外装部材の内側に配設された、外装部材の電極片差込口に差し込まれたプラグの電極片と接触して、プラグの電極片と電気的に接続される左右一対の電極金具と、電源線が接続される一対の端子金具とを備えており、いずれか一方の電極金具といずれか一方の端子金具とが、予め、電気的に接続されていると共に、他方の電極金具と他方の端子金具とが、予め、電気的に接続されている。
【０００３】
【特許文献１】特開平０５−１４４５０４号公報
【発明の開示】
【発明が解決しようとする課題】
【０００４】
ところで、上述したような従来のコンセントでは、プラグの電極片と接触する電極金具と、電源線が接続される端子金具とが予め接続されており、一対の電極金具には、常時、所定の電圧がかかっているので、子供がいたずらで、外装部材の一方の電極片差込口に導電性部材を差し込むと、その導電性部材が電極金具と接触して、子供が感電するおそれがあった。
【０００５】
そこで、この発明の課題は、一方の電極片差込口に導電性部材を差し込んでも感電するおそれのないコンセントを提供することにある。
【課題を解決するための手段】
【０００６】
上記の課題を解決するため、請求項１にかかる発明は、プラグの電極片が差し込まれる一対の電極片差込口が形成された外装部材と、電源線が接続される一対の端子金具と、前記外装部材に形成された前記電極片差込口に差し込まれたプラグの電極片と電気的に接続される、一対の前記電極片差込口に対応して配設された一対の電極金具とを備えたコンセントにおいて、一方の前記電極片差込口に差し込まれたプラグの電極片が所定位置まで到達すると、他方の前記電極金具と一方の前記端子金具とが電気的に接続され、一方の前記電極片差込口に差し込まれたプラグを引き抜いてその電極片を所定位置から後退させると、他方の前記電極金具と一方の前記端子金具とが電気的に遮断されると共に、他方の前記電極片差込口に差し込まれたプラグの電極片が所定位置まで到達すると、一方の前記電極金具と他方の前記端子金具とが電気的に接続され、他方の前記電極片差込口に差し込まれたプラグを引き抜いてその電極片を所定位置から後退させると、一方の前記電極金具と他方の前記端子金具とが電気的に遮断されるようになっていることを特徴とするコンセントを提供するものである。
【０００７】
また、請求項２に係る発明は、請求項１に係る発明のコンセントにおいて、一方の前記電極金具には、他方の前記電極金具側に延びる電極金具側導通片が連設されていると共に、他方の前記電極金具には、一方の前記電極金具側に延びる電極金具側導通片が連設されており、一方の前記端子金具には、一方の前記電極片差込口に差し込まれ、所定位置まで到達したプラグの電極片に押されることによって弾性変形して、他方の前記電極金具に連設された前記電極金具側導通片に接触することで、その電極金具側導通片に電気的に接続される端子金具側導通片が連設されていると共に、他方の前記端子金具には、他方の前記電極片差込口に差し込まれ、所定位置まで到達したプラグの電極片に押されることによって弾性変形して、一方の前記電極金具に連設された前記電極金具側導通片に接触することで、その電極金具側導通片に電気的に接続される端子金具側導通片が連設されており、前記端子金具側導通片は、プラグの電極片と直接接触しないように、プラグの電極片に押される部分が絶縁されていることを特徴としている。
【発明の効果】
【０００８】
以上のように、請求項１にかかる発明のコンセントは、プラグを差し込むことによって、その電極片と電気的に接続される電極金具と、電源線が接続された端子金具とが、予め、電気的に接続されておらず、プラグを差し込むことによって始めて電極金具と端子金具とが電気的に接続されるようになっており、しかも、一方の電極片の差込動作に伴い、他方の電極片と一方の端子金具とが電気的に接続され、他方の電極片の差込動作に伴い、一方の電極片と他方の端子金具とが電気的に接続されるようになっているので、一方の電極片差込口に導電性部材を差し込むだけでは、その導電性部材と端子金具とが電気的に接続されることはなく、子供がいたずらで、いずれか一方の電極片差込口に導電性部材を差し込んでも、感電するおそれはない。
【０００９】
また、プラグを差していない状態では、一対の電極金具と一対の端子金具とが電気的に遮断されており、一対の電極金具には電圧がかかっていないので、電極片差込口から覗いている電極金具にほこり等が付着することに起因した発火事故を確実に防止することができる。
【００１０】
特に、請求項２に係る発明のコンセントは、一対の電極金具及び一対の端子金具に、相互に接触可能な電極金具側導通片及び端子金具側導通片をそれぞれ連設し、電極片差込口に差し込まれ、所定位置まで到達したプラグの電極片で押すことによって、端子金具側導通片を弾性変形させることで、電極金具側導通片と端子金具側導通片とを接触させて、両者を電気的に接続するようにしたので、上述した感電防止機能や発火防止機能を廉価に実現することができる。
【発明を実施するための最良の形態】
【００１１】
以下、実施の形態について図面を参照して説明する。図１及び図２に示すように、このコンセント１は、テーブルタップやコーナータップ等に採用されるものであり、プラスチックによって形成されたハウジング１０内に内部接続機構２０が収容されている。
【００１２】
前記ハウジング１０は、図２に示すように、底板１２の前端縁に前面壁１３が立設された台座１１と、上蓋１４とを備えており、前面壁１３には、プラグの電極片が差し込まれる一対の電極片差込口１３ａ、１３ａが形成されている。
【００１３】
前記前面壁１３の内面側には、各電極片差込口１３ａの両側に一対の補強リブ１３ｂが形成されており、底板１２及び上蓋１４の内面側には、一対の電極片差込口１３ａ、１３ａに差し込まれたプラグの電極片の先端部を案内して支持する支持ブロック１２ａ、１４ａが突設されている。
【００１４】
前記内部接続機構２０は、図３及び図５〜図７に示すように、台座１１の底板１２に固定される、電源線を接続するための端子ビス２１ａ、２１ａが取り付けられた一対の端子金具２１、２１と、各端子金具２１、２１にそれぞれ連設された、支持ブロック１２ａ、１４ａの内側まで延びる、先端側が横方向に弾性変形可能な端子金具側導通片２２、２２と、各端子金具側導通片２２、２２の先端部外面にそれぞれ接着固定される絶縁部材２３、２３と、台座１１の前面壁１３に形成された一対の電極片差込口１３ａ、１３ａに差し込まれたプラグの電極片と電気的に接続される、一対の電極片差込口１３ａ、１３ａに対応して配設される一対の電極金具２４、２４と、各電極金具２４、２４にそれぞれ連設された電極金具側導通片２５、２５とを備えており、端子金具側導通片２２が連設された端子金具２１及び電極金具側導通片２５が連設された電極金具２４は、いずれも銅板を切断・折曲加工することによって形成されている。
【００１５】
それぞれの前記端子金具側導通片２２、２２は、先端側が僅かに外側（支持ブロック１２ａ、１４ａ側）を向くように、その基端部で屈曲させてあり、その先端部に接着固定された絶縁部材２３、２３が支持ブロック１２ａ、１４ａに接触するようになっている。
【００１６】
前記絶縁部材２３は、基板２３ａの両側縁に側板２３ｂ、２３ｃがそれぞれ連設された樹脂成形体であり、図７に示すように、一方（前面壁１３の外面に向かって左側）の絶縁部材２３は、一方の端子金具側導通片２２の先端部に上側から被せた状態で、側板２３ｂの内面が端子金具側導通片２２の外面に接着固定されていると共に、他方（前面壁１３の外面に向かって右側）の絶縁部材２３は、他方の端子金具側導通片２２の先端部を基板２３ａの上に載せた状態で、側板２３ｂの内面が端子金具側導通片２２の外面に接着固定されている。なお、端子金具側導通片２２に接着固定されている、支持ブロック１２ａ、１４ａ側の側板２３ｂには、電極片差込口１３ａに差し込まれたプラグの電極片を、支持ブロック１２ａ、１４ａとの間に案内するために、その前端側を内側に屈曲させている。
【００１７】
前記電極金具２４は、プラグの電極片の厚みよりも僅かに小さい間隔を開けて対向配置された一対の挟込片２４ａ、２４ａによって構成されており、電極片差込口１３ａに差し込まれたプラグの電極片が、一対の挟込片２４ａ、２４ａの間に差し込まれて挟込片２４ａ、２４ａと接触することで、電気的に接続されるようになっている。なお、電極片差込口１３ａに差し込まれたプラグの電極片が一対の挟込片２４ａ、２４ａの間に確実に差し込まれるように、一対の挟込片２４ａ、２４ａは、その前端側を外側に屈曲させてある。
【００１８】
一方（前面壁１３の外面に向かって左側）の電極金具側導通片２５は、一端側が一方の電極金具２４の上端部に連設され、一方の絶縁部材２３の上側で一旦後方側に延び出した後、支持ブロック１４ａ側に延びるＬ字部２５ａと、このＬ字部２５ａの他端縁から垂下する屈曲部２５ｂとから構成されており、屈曲部２５ｂは、他方（前面壁１３の外面に向かって右側）の端子金具側導通片２２に対して僅かな間隔を開けて対向するように、他方の絶縁部材２３の側板２３ｃと端子金具側導通片２２との間に入り込んでいる。
【００１９】
これに対して、他方（前面壁１３の外面に向かって右側）の電極金具側導通片２５は、一端側が他方の電極金具２４の下端部に連設され、他方の絶縁部材２３の下側で一旦後方側に延び出した後、支持ブロック１２ａ側に延びるＬ字部２５ａと、このＬ字部２５ａの他端縁から立ち上がる屈曲部２５ｂとから構成されており、屈曲部２５ｂは、一方（前面壁１３の外面に向かって左側）の端子金具側導通片２２に対して僅かな間隔を開けて対向するように、一方の絶縁部材２３の側板２３ｃと端子金具側導通片２２との間に入り込んでいる。
【００２０】
以上のように構成されたコンセントを組み立てるには、図８（ａ）に示すように、一対の端子金具２１、２１に連設されている端子金具側導通片２２、２２の先端部に、絶縁部材２３、２３をそれぞれ接着固定した後、同図（ｂ）に示すように、それぞれの絶縁部材２３、２３の側板２３ｃ、２３ｃを、他方の絶縁部材２３、２３の側板２３ｂ、２３ｃの間に嵌め込み、同図（ｃ）及び図５に示すように、それぞれの電極金具２４、２４に連設された電極金具側導通片２５、２５の屈曲部２５ｂ、２５ｂを、他方の絶縁部材２３、２３の側板２３ｃ、２３ｃと他方の端子金具側導通片２２、２２との間に嵌め込んだ状態で、それぞれの端子金具２１、２１を台座１１の底板１２の所定位置に固定すると共に、それぞれの電極金具側導通片２５、２５のＬ字部２５ａ、２５ａを、上蓋１４及び台座１１の底板１２に位置決めした状態で、ハウジング１０内に収容すると、図１に示すようなコンセント１が出来上がる。
【００２１】
以上のように構成されたコンセント１にプラグを差込むと、図９（ａ）〜（ｃ）に示すように、プラグ３０の電極片３１、３１が一対の電極金具２４、２４と電気的に接続されると共に、電極片３１、３１が一対の絶縁部材２３、２３の側板２３ｂ、２３ｂと支持ブロック１２ａ、１４ａとの間にそれぞれ挿入され、これに伴って、一対の端子金具側導通片２２、２２が弾性変形して、一方の（前面壁１３の外面に向かって左側）の端子金具側導通片２２が、他方（前面壁１３の外面に向かって右側）の電極金具２４に連設された電極金具側導通片２５の屈曲部２５ｂと接触して、電源線が接続された一方の端子金具２１と他方の電極金具２４とが電気的に接続されると共に、他方（前面壁１３の外面に向かって右側）の端子金具側導通片２２が、一方（前面壁１３の外面に向かって左側）の電極金具２４に連設された電極金具側導通片２５の屈曲部２５ｂと接触して、電源線が接続された他方の端子金具２１と一方の電極金具２４と電気的に接続されるので、プラグ３０に電源が供給される。このとき、一方の端子金具側導通片２２に接着固定された弾性部材２３の側板２３ｃが一方の電極金具２４に連設された電極金具側導通片２５の屈曲部２５ｂに接触すると共に、他方の端子金具側導通片２２に接着固定された弾性部材２３の側板２３ｃが他方の電極金具２４に連設された電極金具側導通片２５の屈曲部２５ｂに接触することによって、電極金具側導通片２５、２５の屈曲部２５ｂ、２５ｂの撓みを防止するので、一方及び他方の端子金具側導通片２２、２２が、他方及び一方の電極金具２４に連設された電極金具側導通片２５、２５の屈曲部２５ｂ、２５ｂに確実に接触することになり、一方及び他方の端子金具２１と他方及び一方の電極金具２４とが確実に電気的に接続される。
【００２２】
また、このコンセント１では、プラグ３０を差し込まない状態では、図７（ａ）〜（ｃ）に示すように、それぞれの電極金具２４、２４に連設された電極金具側導通片２５、２５が、電源線が接続された端子金具２１、２１にそれぞれ連設された端子金具側導通片２２、２２と電気的に接続されておらず、一対の電極金具２４、２４には電圧がかかっていない状態となるので、電極片差込口１３ａ、１３ａから覗いている電極金具２４、２４にほこり等が付着することに起因した発火事故を確実に防止することができる。
【００２３】
さらに、このコンセント１では、上述したように、一方の電極片３１の差込動作に伴い、他方の電極片３１と一方の端子金具２１とが電気的に接続され、他方の電極片３１の差込動作に伴い、一方の電極片３１と他方の端子金具２１とが電気的に接続されるようになっているので、図１０（ａ）〜（ｃ）に示すように、一方の電極片差込口１３ａに導電性部材Ｍを差し込むだけでは、その導電性部材Ｍと端子金具２１とが電気的に接続されることはなく、子供がいたずらで、いずれか一方の電極片差込口１３ａに導電性部材Ｍを差し込んでも、その導電性部材Ｍに電圧がかかることがなく、感電するおそれはない。特に、電極片差込口１３ａに差し込んだ導電性部材Ｍが支持ブロック１２ａ、１４ａ及び絶縁部材２３、２３の側板２３ｂ、２３ｂまで到達しない状態では、いずれの電極金具２４、２４にも電圧がかかることがない。
【００２４】
なお、上述した実施形態では、端子金具側導通片２２が連設された端子金具２１、絶縁部材２３及び電極金具側導通片２５が連設された電極金具２４を構成要素としているが、これに限定されるものではなく、一方の電極片３１の差込動作に伴い、他方の電極片３１と一方の電源線とが電気的に接続され、他方の電極片３１の差込動作に伴い、一方の電極片３１と他方の電源線とが電気的に接続されるようになっているのであれば、種々の構成を採用することができる。
【００２５】
また、上述した実施形態では、テーブルタップやコーナータップ等に採用されるコンセントについて説明したが、これに限定されるものではなく、室内の壁面や床等に固定設置されるコンセントについても本発明を適用することができることは言うまでもない。
【図面の簡単な説明】
【００２６】
【図１】この発明にかかるコンセントの一実施形態を示す部分斜視図である。
【図２】同上のコンセントを示す部分分解斜視図である。
【図３】同上のコンセントにおける上蓋を外した状態を示す部分平面図である。
【図４】同上のコンセントを示す部分正面図である。
【図５】同上のコンセントを構成している内部接続機構を示す斜視図である。
【図６】同上の内部接続機構を示す分解斜視図である。
【図７】（ａ）は図３のＸ−Ｘ線に沿った断面図、（ｂ）は図４のＹ−Ｙ線に沿った断面図、（ｃ）は図４のＺ−Ｚ線に沿った断面図である。
【図８】（ａ）〜（ｃ）は同上のコンセントの組立工程を説明するための説明図である。
【図９】（ａ）〜（ｃ）は同上のコンセントにプラグを差し込んだ状態を示す図７（ａ）〜（ｃ）に対応する断面図である。
【図１０】（ａ）〜（ｃ）は同上のコンセントのいずれか一方の電極片差込口に導電性部材を差し込んだ状態を示す図７（ａ）〜（ｃ）に対応する断面図である。
【符号の説明】
【００２７】
１  コンセント
１０  ハウジング
１１  台座
１２  底板
１２ａ  支持ブロック
１３  前面壁
１３ａ  電極片差込口
１４  上蓋
１４ａ  支持ブロック
２０  内部接続機構
２１  端子金具
２１ａ  端子ビス
２２  端子金具側導通片
２３  絶縁部材
２３ａ  基板
２３ｂ、２３ｃ  側板
２４  電極金具
２４ａ  挟込片
２５  電極金具側導通片
２５ａ  Ｌ字部
２５ｂ  屈曲部
３０  プラグ
３１  電極片
Ｍ  導電性部材
【図１】
2010135091.tif 000003
【図２】
2010135091.tif 000004
【図３】
2010135091.tif 000005
【図４】
2010135091.tif 000006
【図５】
2010135091.tif 000007
【図６】
2010135091.tif 000008
【図７】
2010135091.tif 000009
【図８】
2010135091.tif 000010
【図９】
2010135091.tif 000011
【図１０】
2010135091.tif 000012
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
プラグの電極片が差し込まれる一対の電極片差込口が形成された外装部材と、
電源線が接続される一対の端子金具と、
前記外装部材に形成された前記電極片差込口に差し込まれたプラグの電極片と電気的に接続される、一対の前記電極片差込口に対応して配設された一対の電極金具とを備えたコンセントにおいて、
一方の前記電極金具には、他方の前記電極金具側に延びる電極金具側導通片が連設されていると共に、他方の前記電極金具には、一方の前記電極金具側に延びる電極金具側導通片が連設されており、
一方の前記端子金具には、一方の前記電極片差込口に差し込まれ、所定位置まで到達したプラグの電極片に押されることによって弾性変形して、他方の前記電極金具に連設された前記電極金具側導通片に接触することで、その電極金具側導通片に電気的に接続される端子金具側導通片が連設されていると共に、
他方の前記端子金具には、他方の前記電極片差込口に差し込まれ、所定位置まで到達したプラグの電極片に押されることによって弾性変形して、一方の前記電極金具に連設された前記電極金具側導通片に接触することで、その電極金具側導通片に電気的に接続される端子金具側導通片が連設されており、
前記端子金具側導通片は、プラグの電極片と直接接触しないように、プラグの電極片に押される部分が絶縁されており、
一方の前記電極片差込口に差し込まれたプラグの電極片が所定位置まで到達すると、他方の前記電極金具と一方の前記端子金具とが電気的に接続され、一方の前記電極片差込口に差し込まれたプラグを引き抜いてその電極片を所定位置から後退させると、他方の前記電極金具と一方の前記端子金具とが電気的に遮断されると共に、
他方の前記電極片差込口に差し込まれたプラグの電極片が所定位置まで到達すると、一方の前記電極金具と他方の前記端子金具とが電気的に接続され、他方の前記電極片差込口に差し込まれたプラグを引き抜いてその電極片を所定位置から後退させると、一方の前記電極金具と他方の前記端子金具とが電気的に遮断されるようになっていることを特徴とするコンセント。
【手続補正２】
【補正対象書類名】明細書
【補正対象項目名】０００６
【補正方法】変更
【補正の内容】
【０００６】
上記の課題を解決するため、請求項１に係る発明は、プラグの電極片が差し込まれる一対の電極片差込口が形成された外装部材と、電源線が接続される一対の端子金具と、前記外装部材に形成された前記電極片差込口に差し込まれたプラグの電極片と電気的に接続される、一対の前記電極片差込口に対応して配設された一対の電極金具とを備えたコンセントにおいて、一方の前記電極金具には、他方の前記電極金具側に延びる電極金具側導通片が連設されていると共に、他方の前記電極金具には、一方の前記電極金具側に延びる電極金具側導通片が連設されており、一方の前記端子金具には、一方の前記電極片差込口に差し込まれ、所定位置まで到達したプラグの電極片に押されることによって弾性変形して、他方の前記電極金具に連設された前記電極金具側導通片に接触することで、その電極金具側導通片に電気的に接続される端子金具側導通片が連設されていると共に、他方の前記端子金具には、他方の前記電極片差込口に差し込まれ、所定位置まで到達したプラグの電極片に押されることによって弾性変形して、一方の前記電極金具に連設された前記電極金具側導通片に接触することで、その電極金具側導通片に電気的に接続される端子金具側導通片が連設されており、前記端子金具側導通片は、プラグの電極片と直接接触しないように、プラグの電極片に押される部分が絶縁されており、一方の前記電極片差込口に差し込まれたプラグの電極片が所定位置まで到達すると、他方の前記電極金具と一方の前記端子金具とが電気的に接続され、一方の前記電極片差込口に差し込まれたプラグを引き抜いてその電極片を所定位置から後退させると、他方の前記電極金具と一方の前記端子金具とが電気的に遮断されると共に、他方の前記電極片差込口に差し込まれたプラグの電極片が所定位置まで到達すると、一方の前記電極金具と他方の前記端子金具とが電気的に接続され、他方の前記電極片差込口に差し込まれたプラグを引き抜いてその電極片を所定位置から後退させると、一方の前記電極金具と他方の前記端子金具とが電気的に遮断されるようになっていることを特徴とするコンセントを提供するものである。
【手続補正３】
【補正対象書類名】明細書
【補正対象項目名】０００７
【補正方法】削除
【補正の内容】
【手続補正４】
【補正対象書類名】明細書
【補正対象項目名】００１０
【補正方法】変更
【補正の内容】
【００１０】
特に、このコンセントは、一対の電極金具及び一対の端子金具に、相互に接触可能な電極金具側導通片及び端子金具側導通片をそれぞれ連設し、電極片差込口に差し込まれ、所定位置まで到達したプラグの電極片で押すことによって、端子金具側導通片を弾性変形させることで、電極金具側導通片と端子金具側導通片とを接触させて、両者を電気的に接続するようにしたので、上述した感電防止機能や発火防止機能を廉価に実現することができる。